(57)【要約】【課題】撮像装置を内部に充電可能に収納した状態で、防水の信頼性を向上させることができ、これによって内部の撮像装置を保護すること。【解決手段】デジタルカメラ１００を密閉状態で収納した防水ケース２０をクレードル２１にセットして充電する。この際、防水ケース２０にケース側無接点給電モジュール２２を備え、クレードル２１にクレードル側無接点給電モジュール２３を備え、このモジュール２３において電磁誘導による磁力線を発生し、この磁力線をケース側無接点給電モジュール２２で受信し、この受信された磁力線を直流電流に変換してデジタルカメラ１００のバッテリに給電し、充電を行う。【選択図】図１
2007129791.tif 000002
【特許請求の範囲】
【請求項１】
電子装置を収納状態で、電力供給が可能な給電装置にセットして給電を行う電子装置の
収納装置において、
前記給電装置が電磁誘導による磁力線の発生手段を有する際に、その磁力線をコイルで
受信し、この受信された磁力線を直流電流に変換して前記電子装置に給電する給電手段を
備えたことを特徴とする電子装置の収納装置。
【請求項２】
電波信号を送受信する第１の送受信手段と、前記電子装置で処理される処理データを前
記第１の送受信手段で送受信する制御を行う第１の制御手段とを更に備えたことを特徴と
する電子装置の収納装置。
【請求項３】
前記給電手段のコイルを、内部に埋設したことを特徴とする請求項１または２に記載の
電子装置の収納装置。
【請求項４】
電子装置を収納した収納装置を給電装置にセットして収納装置内の電子装置に給電を行
う電子装置の給電システムにおいて、
前記収納装置は、磁力線をコイルで受信し、この受信された磁力線を直流電流に変換し
て前記電子装置に給電する給電手段と、電波信号を送受信する第１の送受信手段と、前記
電子装置で処理される処理データを前記第１の送受信手段で送受信する制御を行う第１の
制御手段とを備え、
前記給電装置は、電磁誘導による磁力線の発生手段と、電波信号を送受信する第２の送
受信手段と、前記第１の送受信手段で送受信される処理データを前記第２の送受信手段が
当該給電装置に接続された外部接続装置との間で送受信するように制御する第２の制御手
段とを備えたことを特徴とする電子装置の給電システム。
【請求項５】
前記第１の制御手段は、前記給電手段の給電による前記電子装置の電源の空から満まで
の充電状況を示す充電状況データを前記第１の送受信手段で送信する制御を行い、前記第
２の制御手段は、前記第２の送受信手段で受信された前記第１の送受信手段からの前記充
電状況データが電源の満を示す際に前記発生手段の磁力線の発生を停止する制御を行うこ
とを特徴とする請求項４に記載の電子装置の給電システム。
【請求項６】
前記収納装置は、当該収納装置の温度を検出する温度検出手段を更に備え、前記第１の
制御手段は、前記温度検出手段で検知された温度が所定値以上となった際に、前記電源の
充電を中断する指示を行う充電中断指示データを前記第１の送受信手段から送信する制御
を行い、前記第２の制御手段は、前記第２の送受信手段で受信された前記充電中断指示デ
ータを受け取ると前記発生手段の磁力線の発生を停止する制御を行うことを特徴とする請
求項４または５に記載の電子装置の給電システム。
【請求項７】
前記給電装置は、データの記憶手段を更に備え、前記第２の制御手段は、前記第２の送
受信手段で受信された前記第１の送受信手段からの処理データを前記記憶手段に記憶する
制御を行うことを特徴とする請求項４から６の何れか１項に記載の電子装置の給電システ
ム。
【請求項８】
前記給電装置は、前記発生手段に電力を供給する電源を更に備えることを特徴とする請
求項４から７の何れか１項に記載の電子装置の給電システム。
【請求項９】
撮像装置を密閉収納状態でクレードルにセットして充電が可能な撮像装置の防水ケース
において、
前記クレードルが電磁誘導による磁力線の発生手段を有する際に、その磁力線をコイル
で受信し、この受信された磁力線を直流電流に変換して前記撮像装置の電源に給電する給
電手段を備えたことを特徴とする撮像装置の防水ケース。
【請求項１０】
前記給電手段のコイルを、前記撮像装置が表示部を有する際に当該表示部の周囲の対向
面、前記撮像装置のレンズの周囲の対向面、前記レンズの横面の対向面、前記撮像装置の
前後上下何れかの面の周縁部の対向面に配置したことを特徴とする請求項９に記載の撮像
装置の防水ケース。
【請求項１１】
前記給電手段のコイルを、ケース内部に埋設したことを特徴とする請求項９または１０
に記載の撮像装置の防水ケース。
【請求項１２】
撮像装置を密閉状態に収納した防水ケースをクレードルにセットして防水ケース内の撮
像装置を充電する防水ケース収納撮像装置の充電システムにおいて、
前記防水ケースは、磁力線をコイルで受信し、この受信された磁力線を直流電流に変換
して前記撮像装置の電源に給電する給電手段と、電波信号を送受信する第１の送受信手段
と、前記撮像装置で処理される処理データを前記第１の送受信手段で送受信する制御を行
う第１の制御手段とを備え、
前記クレードルは、電磁誘導による磁力線の発生手段と、電波信号を送受信する第２の
送受信手段と、前記第１の送受信手段で送受信される処理データを前記第２の送受信手段
が当該給電装置に接続された外部接続装置との間で送受信するように制御する第２の制御
手段とを備えたことを特徴とする防水ケース収納撮像装置の充電システム。
【請求項１３】
前記第１の制御手段は、前記給電手段の給電による前記電源の空から満までの充電状況
を示す充電状況データを前記第１の送受信手段で送信する制御を行い、前記第２の制御手
段は、前記第２の送受信手段で受信された前記第１の送受信手段からの前記充電状況デー
タが電源の満を示す際に前記発生手段の磁力線の発生を停止する制御を行うことを特徴と
する請求項１２に記載の防水ケース収納撮像装置の充電システム。
【請求項１４】
前記防水ケースは、当該ケースの温度を検出する温度検出手段を更に備え、前記第１の
制御手段は、前記温度検出手段で検知された温度が所定値以上となった際に、前記電源の
充電を中断する指示を行う充電中断指示データを前記第１の送受信手段から送信する制御
を行い、前記第２の制御手段は、前記第２の送受信手段で受信された前記充電中断指示デ
ータを受け取ると前記発生手段の磁力線の発生を停止する制御を行うことを特徴とする請
求項１２または１３に記載の防水ケース収納撮像装置の充電システム。
【請求項１５】
前記クレードルは、データの記憶手段を更に備え、前記第２の制御手段は、前記第２の
送受信手段で受信された前記第１の送受信手段からの処理データを前記記憶手段に記憶す
る制御を行うことを特徴とする請求項１２から１４の何れか１項に記載の防水ケース収納
撮像装置の充電システム。
【請求項１６】
前記クレードルは、前記発生手段に電力を供給する電源を更に備えることを特徴とする
請求項１２から１５の何れか１項に記載の防水ケース収納撮像装置の充電システム。
【発明の詳細な説明】
【技術分野】
【０００１】
本発明は、デジタルカメラやビデオカメラ等の静止画や動画像の撮像装置を防水状態に
収納する撮像装置の防水ケースと、防水ケースに収納状態で撮像装置をクレードルで充電
する電子装置の収納装置、電子装置の給電システム、撮像装置の防水ケース、防水ケース
収納撮像装置の充電システムに関する。
【背景技術】
【０００２】
従来の撮像装置の防水ケースの一例として、特許文献１に記載の防水型デジタルカメラ
がある。このカメラは、図１２に示すように、デジタルカメラ本体１１が防水ケース１２
に収納された構造を成す。更に説明すると、デジタルカメラ本体１１が収納可能な中空部
分を有する防水ケース１２に、一側面が閉じられることで内部を防水する開閉可能な防水
蓋１２２が設けられると共に、この防水蓋１２２に対向する側面の内側と外側を貫通して
電気信号入出力用のコネクタ１２ｃが設けられ、更に、外側にコネクタ１２ｃの信号伝送
用の導電部分に接続されて端子部１２ｔが設けられている。
【０００３】
このような防水ケース１２に、デジタルカメラ本体１１のコネクタとコネクタ１２ｃと
が接続されてデジタルカメラ本体１１が収納されている。これによって、デジタルカメラ
本体１１が防水ケース１２に収納されたままの状態で外部との通信が可能で、防水の信頼
性を向上させることが可能なようになっている。また、デジタルカメラ本体１１からバッ
テリを取り出さずに、そのままの状態で充電が可能なようになっている。
【特許文献１】特開２００４−３２８３１７号公報
【発明の開示】
【発明が解決しようとする課題】
【０００４】
しかし、上記特許文献１においては、防水ケース１２の内側と外側とを貫通してコネク
タ１２ｃで配線を行う必要があるので、その貫通部分に隙間などが生じ易く防水の信頼性
が低下し、内部に漏水が生じた場合、デジタルカメラ本体（撮像装置）１１が破損すると
いう問題がある。
また、外側に端子部１２ｔが設けられているので、端子部１２ｔが腐食、破損すること
があり、この場合、貫通部分の防水構造に悪影響を与えるので、更に防水の信頼性が低下
し、上記のデジタルカメラ本体１１の破損に至る。
【０００５】
そこで、本発明の目的は、撮像装置を内部に充電可能に収納した状態で、防水の信頼性
を向上させることができ、これによって内部の撮像装置を保護することができる電子装置
の収納装置、電子装置の給電システム、撮像装置の防水ケース、防水ケース収納撮像装置
の充電システムを提供することである。
【課題を解決するための手段】
【０００６】
上記目的を達成するために、本発明の一態様に係る電子装置の収納装置によれば、電子
装置を収納状態で、電力供給が可能な給電装置にセットして給電を行う電子装置の収納装
置において、前記給電装置が電磁誘導による磁力線の発生手段を有する際に、その磁力線
をコイルで受信し、この受信された磁力線を直流電流に変換して前記電子装置に給電する
給電手段を備えたことを特徴とする。
【０００７】
これによって、電子装置を収納したままで収納装置を給電装置にセットし、給電装置か
ら収納装置内の電子装置に電力を供給して充電する構成を、電磁誘導による電力送信にて
行うようにしたので、従来のように収納装置に配線用の貫通部分を設けることなく実現す
ることができる。従って、従来のように貫通部分に隙間などが生じたり、貫通部分の外側
に固定される端子部が腐食や破損して、例えば収納装置が防水構造である場合に、その防
水構造に悪影響を与えたりして、内部に漏水が生じることが無くなるので、収納装置の防
水の信頼性を向上させることができ、これによって内部の電子装置を漏水による破損から
保護することができる。
【０００８】
また、本発明の一態様に係る電子装置の収納装置によれば、電波信号を送受信する第１
の送受信手段と、前記電子装置で処理される処理データを前記第１の送受信手段で送受信
する制御を行う第１の制御手段とを更に備えたことを特徴とする。
これによって、収納装置に撮像装置を収納したままで、給電装置に接続された外部装置
と電子装置との間で画像データなどの処理データを送受信することができる。
【０００９】
また、本発明の一態様に係る電子装置の収納装置によれば、前記給電手段のコイルを、
内部に埋設したことを特徴とする。
これによって、コイルを給電装置の磁力線の発生手段の極近傍に配置することができる
ので、充電効率を高くすることができる。
また、本発明の一態様に係る電子装置の給電システムによれば、電子装置を収納した収
納装置を給電装置にセットして収納装置内の電子装置に給電を行う電子装置の給電システ
ムにおいて、前記収納装置は、磁力線をコイルで受信し、この受信された磁力線を直流電
流に変換して前記電子装置に給電する給電手段と、電波信号を送受信する第１の送受信手
段と、前記電子装置で処理される処理データを前記第１の送受信手段で送受信する制御を
行う第１の制御手段とを備え、前記給電装置は、電磁誘導による磁力線の発生手段と、電
波信号を送受信する第２の送受信手段と、前記第１の送受信手段で送受信される処理デー
タを前記第２の送受信手段が当該給電装置に接続された外部接続装置との間で送受信する
ように制御する第２の制御手段とを備えたことを特徴とする。
【００１０】
これによって、電子装置を密閉状態で収納したままで収納装置を給電装置で給電する構
成を、従来のように収納装置に配線用の貫通部分を設けることなく実現することができる
ので、例えば収納装置が防水構造である場合に、その収納装置の防水の信頼性を向上させ
ることができ、内部の電子装置を漏水による破損から保護することができる。更に、収納
装置に電子装置を密閉状態で収納したままで、給電装置に接続された外部装置とデジタル
カメラとの間で画像データなどの処理データを送受信することができる。
【００１１】
また、本発明の一態様に係る電子装置の給電システムによれば、前記第１の制御手段は
、前記給電手段の給電による前記電子装置の電源の空から満までの充電状況を示す充電状
況データを前記第１の送受信手段で送信する制御を行い、前記第２の制御手段は、前記第
２の送受信手段で受信された前記第１の送受信手段からの前記充電状況データが電源の満
を示す際に前記発生手段の磁力線の発生を停止する制御を行うことを特徴とする。
【００１２】
これによって、電子装置の電源を充電中に当該受電状況を示す充電状況データを収納装
置から送信して給電装置で受信し、この受信された充電状況データが電源の満充電を示す
場合、給電装置における磁力線の発生を停止するようにしたので、電源が満充電された場
合に充電動作を停止することができ、これによって給電装置における無駄な電力消費を削
減することができる。
【００１３】
また、本発明の一態様に係る電子装置の給電システムによれば、前記収納装置は、当該
収納装置の温度を検出する温度検出手段を更に備え、前記第１の制御手段は、前記温度検
出手段で検知された温度が所定値以上となった際に、前記電源の充電を中断する指示を行
う充電中断指示データを前記第１の送受信手段から送信する制御を行い、前記第２の制御
手段は、前記第２の送受信手段で受信された前記充電中断指示データを受け取ると前記発
生手段の磁力線の発生を停止する制御を行うことを特徴とする。
【００１４】
これによって、電子装置の電源の充電中に収納装置の温度が所定以上高くなった際に、
その受電を中断するようにしたので、収納装置が充電時の熱で変形、変質することを防止
することができ、これによって、充電中における電子装置の破損などの危険性を無くすこ
とができる。
また、本発明の一態様に係る電子装置の給電システムによれば、前記給電装置は、デー
タの記憶手段を更に備え、前記第２の制御手段は、前記第２の送受信手段で受信された前
記第１の送受信手段からの処理データを前記記憶手段に記憶する制御を行うことを特徴と
する。
【００１５】
これによって、給電装置に収納装置をセットした際に、電子装置の画像データ等の処理
データを給電装置に記憶しておくことができるので、利便性が向上する。
また、本発明の一態様に係る電子装置の給電システムによれば、前記給電装置は、前記
発生手段に電力を供給する電源を更に備えることを特徴とする。
これによって、給電装置は、コンセントなどの外部電源が無くとも収納装置内の電子装
置を充電することができるので、利便性が向上する。
【００１６】
また、本発明の一態様に係る撮像装置の防水ケースによれば、撮像装置を密閉収納状態
でクレードルにセットして充電が可能な撮像装置の防水ケースにおいて、前記クレードル
が電磁誘導による磁力線の発生手段を有する際に、その磁力線をコイルで受信し、この受
信された磁力線を直流電流に変換して前記撮像装置の電源に給電する給電手段を備えたこ
とを特徴とする。
【００１７】
これによって、撮像装置を密閉状態で収納したままで防水ケースをクレードルにセット
し、クレードルから防水ケース内の撮像装置の電源に電力を供給して充電する構成を、電
磁誘導による電力送信にて行うようにしたので、従来のように防水ケースに配線用の貫通
部分を設けることなく実現することができる。従って、従来のように貫通部分に隙間など
が生じたり、貫通部分の外側に固定される端子部が腐食や破損してその防水構造に悪影響
を与えたりして、内部に漏水が生じることが無くなるので、防水ケースの防水の信頼性を
向上させることができ、これによって内部の撮像装置を漏水による破損から保護すること
ができる。
【００１８】
また、本発明の一態様に係る撮像装置の防水ケースによれば、前記給電手段のコイルを
、前記撮像装置が表示部を有する際に当該表示部の周囲の対向面、前記撮像装置のレンズ
の周囲の対向面、前記レンズの横面の対向面、前記撮像装置の前後上下何れかの面の周縁
部の対向面に配置したことを特徴とする。
これによって、コイルの面積を大きくとることができるので、磁力線による電力をより
効率良く送受信することができ、充電効率を高くすることができる。
【００１９】
また、本発明の一態様に係る撮像装置の防水ケースによれば、前記給電手段のコイルを
、ケース内部に埋設したことを特徴とする。
これによって、コイルをクレードルの磁力線の発生手段の極近傍に配置することができ
るので、充電効率を高くすることができる。
また、本発明の一態様に係る防水ケース収納撮像装置の充電システムによれば、撮像装
置を密閉状態に収納した防水ケースをクレードルにセットして防水ケース内の撮像装置を
充電する防水ケース収納撮像装置の充電システムにおいて、前記防水ケースは、磁力線を
コイルで受信し、この受信された磁力線を直流電流に変換して前記撮像装置の電源に給電
する給電手段と、電波信号を送受信する第１の送受信手段と、前記撮像装置で処理される
処理データを前記第１の送受信手段で送受信する制御を行う第１の制御手段とを備え、前
記クレードルは、電磁誘導による磁力線の発生手段と、電波信号を送受信する第２の送受
信手段と、前記第１の送受信手段で送受信される処理データを前記第２の送受信手段が当
該給電装置に接続された外部接続装置との間で送受信するように制御する第２の制御手段
とを備えたことを特徴とする。
【００２０】
これによって、撮像装置を密閉状態で収納したままで防水ケースをクレードルで充電す
る構成を、従来のように防水ケースに配線用の貫通部分を設けることなく実現することが
できるので、防水ケースの防水の信頼性を向上させることができ、内部の撮像装置を漏水
による破損から保護することができる。更に、防水ケースに撮像装置を密閉状態で収納し
たままで、クレードルに接続された外部装置とデジタルカメラとの間で画像データなどの
処理データを送受信することができる。
【００２１】
また、本発明の一態様に係る防水ケース収納撮像装置の充電システムによれば、前記第
１の制御手段は、前記給電手段の給電による前記電源の空から満までの充電状況を示す充
電状況データを前記第１の送受信手段で送信する制御を行い、前記第２の制御手段は、前
記第２の送受信手段で受信された前記第１の送受信手段からの前記充電状況データが電源
の満を示す際に前記発生手段の磁力線の発生を停止する制御を行うことを特徴とする。
【００２２】
これによって、撮像装置の電源を充電中に当該受電状況を示す充電状況データを防水ケ
ースから送信してクレードルで受信し、この受信された充電状況データが電源の満充電を
示す場合、クレードルにおける磁力線の発生を停止するようにしたので、電源が満充電さ
れた場合に充電動作を停止することができ、これによってクレードルにおける無駄な電力
消費を削減することができる。
【００２３】
また、本発明の一態様に係る防水ケース収納撮像装置の充電システムによれば、前記防
水ケースは、当該ケースの温度を検出する温度検出手段を更に備え、前記第１の制御手段
は、前記温度検出手段で検知された温度が所定値以上となった際に、前記電源の充電を中
断する指示を行う充電中断指示データを前記第１の送受信手段から送信する制御を行い、
前記第２の制御手段は、前記第２の送受信手段で受信された前記充電中断指示データを受
け取ると前記発生手段の磁力線の発生を停止する制御を行うことを特徴とする。
【００２４】
これによって、撮像装置の電源の充電中に防水ケースの温度が所定以上高くなった際に
、その受電を中断するようにしたので、防水ケースが充電時の熱で変形、変質することを
防止することができ、これによって、充電中における撮像装置の破損などの危険性を無く
すことができる。
また、本発明の一態様に係る防水ケース収納撮像装置の充電システムによれば、前記ク
レードルは、データの記憶手段を更に備え、前記第２の制御手段は、前記第２の送受信手
段で受信された前記第１の送受信手段からの処理データを前記記憶手段に記憶する制御を
行うことを特徴とする。
【００２５】
これによって、クレードルに防水ケースをセットした際に、撮像装置の画像データ等の
処理データをクレードルに記憶しておくことができるので、利便性が向上する。
また、本発明の一態様に係る防水ケース収納撮像装置の充電システムによれば、前記ク
レードルは、前記発生手段に電力を供給する電源を更に備えることを特徴とする。
これによって、クレードルは、コンセントなどの外部電源が無くとも防水ケース内の撮
像装置を充電することができるので、利便性が向上する。
【発明を実施するための最良の形態】
【００２６】
以下、本発明の実施形態について図面を参照しながら説明する。
（第１実施形態）
図１（ａ）は、本発明の第１実施形態に係る撮像装置の防水ケース及びクレードルを用
いた防水ケース収納撮像装置の充電システムの外観構成を示す斜視図、（ｂ）は防水ケー
スの底内部側及びクレードルの表面への無接点給電モジュールの配設様態を示す図である
。
【００２７】
図１に示す防水ケース２０は、プラスチック等の防水性があって破損しにくい材料で箱
型に形成され、内部にデジタルカメラ（撮像装置）１００が防水状態に収納されており、
充電時に、充電装置であるクレードル２１の上にセットされるようになっている。また、
図１（ｂ）と図２の一部断面図にも示すように、防水ケース２０のケース内底面２０ａに
はケース側無接点給電モジュール２２が固定され、また、クレードル２１の防水ケースセ
ット面２１ａにもクレードル側無接点給電モジュール２３が固定され、充電セット時に、
双方の無接点給電モジュール２２，２３が、防水ケース２０並びに間隙を介して対向状態
となるように成されている。
【００２８】
但し、本実施の形態では、撮像装置をデジタルカメラ１００としたが、ビデオカメラや
カメラ機能付携帯電話機などの静止画並びに動画像を撮像可能な撮像装置であればどのよ
うなものでも良い。
クレードル側無接点給電モジュール２３は、一次コイル２５が接続された発振部２６と
、給電制御部２７とを備え、ケース側無接点給電モジュール２２は、二次コイル２９が接
続された電流生成部３０を備え、この電流生成部３０が内部コネクタ３１に電源線３２で
接続されている。内部コネクタ３１はカメラのバッテリ３３に接続されている。
【００２９】
給電制御部２７は、給電の制御を行う。発振部２６は、その制御に応じてクレードル２
１が接続されたコンセントの外部電源からの電力を一次コイル２５に供給し、この供給に
応じて一次コイル２５から電磁誘導によって磁力線を発生させる。
この磁力線は、空間及び防水ケース２０を介して二次コイル２９で受信される。電流生
成部３０は、その二次コイル２９で受信された磁力線を直流電流に変換し、この直流電流
を電源線３２及び内部コネクタ３１を介してバッテリ３３に供給し、これによってバッテ
リ３３が充電される。
【００３０】
このような第１実施形態の防水ケース２０によれば、その内部にデジタルカメラ１００
を密閉状態で収納したままでクレードル２１にセットし、クレードル２１から防水ケース
２０内のデジタルカメラ１００に電力を供給してバッテリ３３を充電する構成を、電磁誘
導によって電力を送信して供給するようにしたので、従来のように防水ケース２０に配線
用の貫通部分を設けることなく実現することができる。
【００３１】
従って、従来のように貫通部分に隙間などが生じたり、貫通部分の外側に固定される端
子部１２ｔが腐食や破損してその防水構造に悪影響を与えたりして、内部に漏水が生じる
ことが無くなるので、防水ケース２０の防水の信頼性を向上させることができ、これによ
って内部のデジタルカメラ１００を漏水による破損から保護することができる。
この他、図３に示すように、防水ケース２０の二次コイル２９−１を、防水ケース２０
の内部に埋設してもよい。この場合、一次コイル２５と二次コイル２９との距離が極近傍
となるので、充電効率を高くすることができる。
【００３２】
また、二次コイル２９は、防水ケース２０の図４に示す位置に配置してもよい。
図４（ａ）は、防水ケース２０において、デジタルカメラ１００の背面の液晶ディスプ
レイ１００ａの周囲に対向するケース内背面位置に、二次コイル２９−２を配置した例で
ある。なお、液晶ディスプレイ１００ａは、有機ＥＬ(Electronic Luminescent)、その他
の表示機器であってもよい。
【００３３】
図４（ｂ）は、防水ケース２０において、デジタルカメラ１００のレンズ１００ｂの周
囲に対向するケース内正面位置に、二次コイル２９−３を配置した例である。この配置は
、特にレンズの大きなデジタルカメラに有効である。
図４（ｃ）は、防水ケース２０において、デジタルカメラ１００のレンズ１００ｂの横
面に対向するケース内正面位置に、二次コイル２９−４を配置した例である。この配置は
、特にレンズの小さなコンパクトタイプのデジタルカメラでは凹凸が無いので防水ケース
２０の内面に設け易く、より有効である。
【００３４】
但し、図４に示した例の場合、何れの場合もクレードルは、防水ケース２０をセットし
た際に、クレードル側無接点給電モジュール２３の一次コイル２５が二次コイル２９に対
向するように構成されているものとする。
図４に示した構成例によれば何れの場合も、二次コイル２９の面積を大きくとることが
できるので、電力を効率良く送信することができる。これによって、充電効率を高くする
ことができる。
【００３５】
更に、二次コイル２９を図５に示す位置に配置してもよい。
図５（ａ）は、防水ケース２０において、デジタルカメラ１００の背面の周縁部に対向
するケース内背面位置に、二次コイル２９−５を配置した例である。
図５（ｂ）は、防水ケース２０において、デジタルカメラ１００の上面の周縁部に対向
するケース内背面位置に、二次コイル２９−６を配置した例である。
【００３６】
図５（ｃ）は、防水ケース２０において、デジタルカメラ１００の正面の周縁部に対向
するケース内背面位置に、二次コイル２９−７を配置した例である。
この図５に示した例の場合も、クレードルは、防水ケース２０をセットした際に、クレ
ードル側無接点給電モジュール２３の一次コイル２５が二次コイル２９に対向するように
構成されているものとする。
【００３７】
図５に示した構成例によれば何れの場合も、二次コイル２９の面積を、より大きくとる
ことができるので、電力をより効率良く送信することができる。これによって、充電効率
を、より高くすることができる。
【００３８】
（第２実施形態）
図６は、本発明の第２実施形態に係る防水ケース収納撮像装置の充電システムにおける
撮像装置の防水ケース及びクレードルの構成を示す一部断面図である。
図６に示す第２実施形態の防水ケース４０が、第１実施形態の防水ケース２０と異なる
点は、ケース内底面４０ａにケース側送受信モジュール４２を固定し、このケース側送受
信モジュール４２をデータ線４３で内部コネクタ３１に接続した点にある。また、ケース
側送受信モジュール４２は、データ線４３及び内部コネクタ３１を介してデジタルカメラ
１００のデータ処理部４４に接続されている。
【００３９】
更に、クレードル４６において、この防水ケースセット面４６ａにクレードル側送受信
モジュール４７が固定され、防水ケース４０をクレードル４６にセットした際に、双方の
送受信モジュール４２，４７が、防水ケース２０並びに間隙を介して概略対向状態となる
ように成されている。各送受信モジュール４２，４７は、無線通信によってデータの送受
信を行う送受信機を備えている。
【００４０】
ケース側送受信モジュール４２は、図７に示すように、送受信機５０と、制御部５１と
を備え、制御部５１は、データ処理部４４と接続されており、データ処理部４４で処理さ
れる送受信制御信号及びデジカメデータ（デジタルカメラデータ）を送受信機５０によっ
てクレードル側送受信モジュール４７との間で送受信する制御を行う。デジカメデータは
、デジタルカメラ１００の画像データや、デジタルカメラ１００のバッテリ３３の未充電
やフル充電などの充電状況を示す充電状況データである。
【００４１】
また、図８に示すように、クレードル側送受信モジュール４７は、クレードル側無接点
給電モジュール２３と接続されている。但し、クレードル側無接点給電モジュール２３に
は、前述の給電制御部２７に代え、給電制御の他に送受信制御も行う制御部４８が設けら
れている。
つまり、制御部４８には、発振部２６の他に、クレードル側送受信モジュール４７が接
続され、更に、クレードル４６に接続される外部のパーソナルコンピュータやストレージ
デバイス等の外部装置５０が接続されている。
【００４２】
制御部４８は、クレードル側送受信モジュール４７が、ケース側送受信モジュール４２
と無線通信によって送受信制御信号及びデジカメデータを送受信し、これによって外部装
置５０とデジタルカメラ１００のデータ処理部４４とでデータの送受信が行えるように制
御する。
この制御において、制御部４８は、デジカメデータが画像データの場合は、外部装置５
０のストレージに記憶する。また、外部装置５０からデジタルカメラ１００へ画像データ
を送信することもできる。更に、デジカメデータが充電状況データの場合は、この充電状
況データがバッテリ３３のフル充電を示す場合、給電制御信号によって発振部２６におけ
る一次コイル２５への外部電源からの電力供給を停止する。この停止によって、一次コイ
ル２５から電磁誘導による磁力線の発生が停止するので、ケース側無接点給電モジュール
２２によるバッテリ３３への充電動作が停止する。
【００４３】
このような第２実施形態の防水ケース収納撮像装置の充電システムによれば、防水ケー
ス４０において上記第１実施形態と同様な効果を得ることができると共に、次に記載の効
果を得ることができる。
即ち、防水ケース４０の内部にデジタルカメラ１００を密閉状態で収納したままでクレ
ードル４６にセットし、バッテリ３３を充電する以外に、クレードル４６に接続された外
部装置５０とデジタルカメラ１００との間で画像データなどのデータを送受信することが
できる。
【００４４】
また、バッテリ３３を充電中に当該受電状況を示す充電状況データをケース側送受信モ
ジュール４２から送信してクレードル側送受信モジュール４７で受信し、この受信された
充電状況データがバッテリ３３のフル充電を示す場合、クレードル側無接点給電モジュー
ル２３における外部電源からの電力供給を停止することによって、バッテリ３３がフル充
電された場合に充電動作を停止できるようにしたので、無駄な電力消費を削減することが
できる。
【００４５】
（第３実施形態）
図９は、本発明の第３実施形態に係る撮像装置の防水ケースの機能構成を示すブロック
図である。
図９に示す第３実施形態の防水ケース６０が、第２実施形態の防水ケース４０と異なる
点を説明する。
防水ケース６０のケース内底面に温度センサ６１を固定し、この温度センサ６１で検知
された温度を制御部６２に通知し、制御部６２は、その通知された温度が所定値以上とな
った際に、充電を中断する指示を図８に示すクレードル４６の制御部４８へ通知する充電
中断指示データを送受信機５０へ出力し、送受信機５０が充電中断指示データをクレード
ル側送受信モジュール４７へ送信する。そして、制御部４８が、クレードル側送受信モジ
ュール４７で受信された充電中断指示データを受け取ると、給電制御信号によって発振部
２６における一次コイル２５への外部電源からの電力供給を停止するようにした。
【００４６】
この停止によって、一次コイル２５から電磁誘導による磁力線の発生が停止するので、
ケース側無接点給電モジュール２２によるバッテリ３３への充電動作が停止する。
但し、制御部６２で判定される所定値以上の温度とは、防水ケース６０が変質、変形は
しないが、その恐れがある付近の温度である。また、防水ケース６０の制御部６２は、第
２実施形態で説明した図７の制御部５１の制御機能はそのまま備えている。
【００４７】
このような第３実施形態の防水ケース収納撮像装置の充電システムによれば、デジタル
カメラ１００のバッテリ３３に充電中に防水ケース６０の温度が所定以上高くなった際に
、その受電を中断するようにしたので、防水ケース６０が充電時の熱で変形、変質するこ
とを防止することができる。これによって、充電中におけるデジタルカメラ１００の破損
などの危険性を無くすことができる。
【００４８】
（第４実施形態）
図１０は、本発明の第４実施形態に係る防水ケース収納撮像装置の充電システムにおけ
るクレードルの機能構成を示すブロック図である。
図１０に示す第４実施形態のクレードル６５が、図８に示したクレードル４６と異なる
点は、クレードル６５の内部にストレージデバイスである記憶部６６を備え、制御部４８
の制御によって、クレードル側送受信モジュール４７でデジタルカメラ１００から受信さ
れた画像データ等のデジカメデータを記憶部６６に記憶し、また、記憶部６６に記憶され
たデジカメデータをクレードル側送受信モジュール４７から送信するようにしたことにあ
る。
【００４９】
このような第４実施形態のクレードル６５を用いれば、当該クレードル６５に防水ケー
ス６０をセットした際に、デジタルカメラ１００の画像データ等のデジカメデータをクレ
ードル６５に記憶しておくことができ、利便性が向上する。
【００５０】
（第５実施形態）
図１１は、本発明の第５実施形態に係る防水ケース収納撮像装置の充電システムにおけ
るクレードルの機能構成を示すブロック図である。
図１１に示す第５実施形態のクレードル６８が、図１０に示したクレードル６５と異な
る点は、クレードル６８の内部にバッテリ６９を備え、このバッテリ３３から発振部２６
へ電力を供給するようにしたことにある。発振部２６は、バッテリ６９からの電力を一次
コイル２５に供給し、この供給に応じて一次コイル２５から電磁誘導によって磁力線を発
生させる。
【００５１】
このような第５実施形態のクレードル６８を用いれば、コンセントなどの外部電源が無
くとも防水ケース内のデジタルカメラ１００を充電することができるので、利便性が向上
する。
なお、上記のクレードルは、デジタルカメラなどの電子装置に電力供給が可能な給電装
置であればよい。更に、防水ケースは、電子装置を収納でき、給電装置へのセット時に電
子機器に給電を行って充電が可能な給電機能を有する収納装置であればよい。そして、給
電装置及び収納装置に、上記実施形態の特徴機能を備えるものとする。
【図面の簡単な説明】
【００５２】
【図１】第１実施形態に係る防水ケース収納撮像装置の充電システム図。
【図２】第１実施形態の充電システムの一部断面図。
【図３】上記充電システムの防水ケース壁面に二次コイルを埋設した図。
【図４】上記防水ケースにおける二次コイルの各種配置例を示す図。
【図５】上記防水ケースにおける二次コイルの他の各種配置例を示す図。
【図６】第２実施形態に係る防水ケース収納撮像装置の充電システム一部断面図。
【図７】第２実施形態における防水ケースの機能ブロック図。
【図８】第２実施形態におけるクレードルの機能ブロック図。
【図９】第３実施形態に係る撮像装置の防水ケースの機能ブロック図。
【図１０】第４実施形態に係るクレードルの機能ブロック図。
【図１１】第５実施形態に係るクレードルの機能ブロック図。
【図１２】従来の撮像装置の防水ケースの一例である防水型デジタルカメラ図。
【符号の説明】
【００５３】
２０，４０，６０  防水ケース、２１，４６，６５，６８  クレードル、２２  ケース
側無接点給電モジュール、２３  クレードル側無接点給電モジュール、２５  一次コイル
２５、２６  発振部、２７  給電制御部、２９，２９−１〜２９−７  二次コイル、３０
電流生成部、３１  内部コネクタ、３２  電源線、３３，６９  バッテリ、４２  ケー
ス側送受信モジュール、４３  データ線、４４  データ処理部、４７  クレードル側送受
信モジュール、４８，５１，６２  制御部、５０  送受信機、６１  温度センサ、１００
デジタルカメラ、１００ａ  液晶ディスプレイ、１００ｂ  レンズ
【図１】
2007129791.tif 000003
【図２】
2007129791.tif 000004
【図３】
2007129791.tif 000005
【図４】
2007129791.tif 000006
【図５】
2007129791.tif 000007
【図６】
2007129791.tif 000008
【図７】
2007129791.tif 000009
【図８】
2007129791.tif 000010
【図９】
2007129791.tif 000011
【図１０】
2007129791.tif 000012
【図１１】
2007129791.tif 000013
【図１２】
2007129791.tif 000014